(57)【要約】【課題】  従来のスロットマシンにおいては、コイントレイからのコインの溢れ出しを防止するのに手間を要した。【解決手段】  遊技媒体溢れ防止部３の板状部材３１は、コイントレイ２の側壁２１のスリット２２に収納されており、側壁２１の立設方向に移動自在に設けられている。板状部材３１がスリット２２から引き出されると、引き出された高さだけ、コイントレイ２の右端側及び左端側の側壁２１が高くなったのと同様になり、コイントレイ２のコイン収納量が増加する。このため、板状部材３１を上方に移動させるという簡単な操作により、コイントレイ２のコインの収納量を増やして、コイントレイ２からコインが溢れて落下するのを防止できる。【選択図】  図２
2005204956.tif 000002
【特許請求の範囲】
【請求項１】
払出口から払い出される遊技媒体を底面から立設された側壁で囲まれた空間に収納する遊技媒体収納部を備えた遊技機において、
前記側壁の少なくとも一部に沿って並んで配された板状部材が、前記側壁の立設方向に移動自在に設けられて、前記側壁の上端より上方に位置し得るように構成された遊技媒体溢れ防止部を備えることを特徴とする遊技機。
【請求項２】
前記遊技媒体収納部は、前記側壁が遊技機本体の幅方向に設けられて前記払出口がある遊技機前面の前方に前記空間を形成し、
前記遊技媒体溢れ防止部は、前記遊技媒体収納部の少なくとも一方の側部の前記側壁に前記板状部材が設けられていることを特徴とする請求項１に記載の遊技機。
【請求項３】
前記遊技媒体収納部は、前記側壁が遊技機本体の幅方向に設けられて前記払出口がある遊技機前面の前方に前記空間を形成し、
前記遊技媒体溢れ防止部は、前記板状部材における前記遊技媒体収納部の幅方向の一部分の高さが他の部分よりも低く形成されていることを特徴とする請求項１または請求項２に記載の遊技機。
【請求項４】
前記遊技媒体収納部は、前記側壁が前記遊技機本体の幅方向に設けられて前記払出口がある遊技機前面の前方の三方を囲んで前記空間を形成していることを特徴とする請求項１から請求項３のいずれか１項に記載の遊技機。
【請求項５】
前記遊技媒体溢れ防止部は、前記側壁の側方に向けて突出する把持部を前記板状部材に備えることを特徴とする請求項１から請求項４のいずれか１項に記載の遊技機。
【請求項６】
前記遊技媒体溢れ防止部は、前記側壁の立設方向に沿って引き上げられた前記板状部材を前記側壁または遊技機本体に係止させて保持する保持手段を備えることを特徴とする請求項１から請求項５のいずれか１項に記載の遊技機。
【発明の詳細な説明】
【技術分野】
【０００１】
本発明は、払出口から払い出される遊技媒体を収納する遊技媒体収納部を備える遊技機に関するものである。
【背景技術】
【０００２】
従来、このような遊技機としては、例えば、スロットマシンがある。
【０００３】
一般的なスロットマシンでは、前面パネルの背後に３個のリールが３列に並設されている。各リールの外周には種々の図柄が描かれており、前面パネルに形成された各窓を介してこれらの図柄が観察される。遊技は、遊技媒体であるコインが賭けられた状態で遊技者がスタートレバーを操作すると開始する。スタートレバーが操作されるとリールが回転し、リール外周に描かれた図柄が各窓に変動表示される。このスタートレバーの操作時には、複数の内部当選役の中から抽選によっていずれかの内部当選役が決定される。その後、各リールに対応して設けられた停止ボタンが操作されるとリールの回転が停止し、各窓に図柄が停止表示される。各窓に設けられた入賞ライン上に停止表示された図柄の組合せが、決定された内部当選役に対応する組合せである場合には、内部当選役に応じた枚数のコインが払出口から払い出される。
【０００４】
払い出されたコインは、遊技媒体収納部であるコイントレイに貯められるが、コイントレイに貯められたコインの量がコイントレイの収納量を超えると、コイントレイからコインが溢れて落下する。
【０００５】
このため、下記の特許文献１には、コインを収納して景品交換等のためにコインを持ち運ぶドル箱を載置できる広さのコイントレイを設け、払い出されたコインがそのままコイントレイに載置されたドル箱に収納されるようにして、コインの収納量をドル箱の収納量にまで増やし、また、コインのドル箱への移し替えの手間を省いたスロットマシンが提案されている。
【特許文献１】特開平１０−１７９８８２号公報（段落[００４１]〜[００４４]）
【発明の開示】
【発明が解決しようとする課題】
【０００６】
しかしながら、このコイントレイでは、コインの収納量は増えるが、コイントレイに載置されたドル箱の収納量の限界までコインが貯められた場合に、そのドル箱を移動させてコイントレイに空の新たなドル箱を置き換える作業が必要とされ、手間を要した。また、ドル箱を置き換えた後に手持ちのコインが無くなった場合には、収納量の限界までコインが貯められたドル箱から置き換えた新たなドル箱にコインを戻さなければならず、この作業も手間を要した。
【課題を解決するための手段】
【０００７】
本発明はこのような課題を解決するためになされたもので、払出口から払い出される遊技媒体を底面から立設された側壁で囲まれた空間に収納する遊技媒体収納部を備えた遊技機において、側壁の少なくとも一部に沿って並んで配された板状部材が、側壁の立設方向に移動自在に設けられて、側壁の上端より上方に位置し得るように構成された遊技媒体溢れ防止部を備えることを特徴とする。
【０００８】
この構成によれば、遊技媒体溢れ防止部の板状部材を、側壁の立設方向に移動させて側壁の上方に突出させることにより、遊技媒体収納部の側壁上端から遊技媒体が溢れ出して落下するのが防止され、遊技媒体収納部の遊技媒体の収納量は増える。また、板状部材を側壁の立設方向に沿って引き上げるという簡単な操作により遊技媒体収納部の遊技媒体収納量を増やすため、例えば、従来の、コイントレイにドル箱を載置してコイン収納量を増やす場合のように、ドル箱を置き換えたり、ドル箱からコインを戻すような作業を必要としない。
【０００９】
また、本発明は、遊技媒体収納部が、側壁が遊技機本体の幅方向に設けられて払出口がある遊技機前面の前方に空間を形成し、遊技媒体溢れ防止部が、遊技媒体収納部の少なくとも一方の側部の側壁に板状部材が設けられていることを特徴とする。
【００１０】
この構成によれば、遊技媒体収納部の少なくとも一方の側部の側壁に設けられた板状部材のみを側壁の上方に突出させた場合と、板状部材を側壁の上方に突出させない場合とで、遊技媒体収納部の遊技媒体の収納量は異なる。このため、遊技媒体収納部の少なくとも一方の側部の側壁に設けられた板状部材を突出させるという簡単な操作により、遊技媒体収納部の遊技媒体の収納量を調整して、遊技媒体収納部から遊技媒体が溢れて落下するのを防止できる。
【００１１】
また、本発明は、遊技媒体収納部が、側壁が遊技機本体の幅方向に設けられて払出口がある遊技機前面の前方に空間を形成し、遊技媒体溢れ防止部が、板状部材における遊技媒体収納部の幅方向の一部分の高さが他の部分よりも低く形成されていることを特徴とする。
【００１２】
この構成によれば、遊技媒体溢れ防止部の板状部材を側壁の立設方向に沿って引き上げても、板状部材の高さの低い部分から遊技媒体収納部内の遊技媒体を容易に取り出して、ドル箱への移し換え等を行うことができる。
【００１３】
また、本発明は、遊技媒体収納部が、側壁が遊技機本体の幅方向に設けられて払出口がある遊技機前面の前方の三方を囲んで空間を形成していることを特徴とする。
【００１４】
この構成によっても、遊技媒体溢れ防止部の板状部材を、側壁の立設方向に移動させて側壁の上方に突出させることにより遊技媒体収納部の遊技媒体の収納量が増える。このため、板状部材を側壁の立設方向に沿って引き上げるという簡単な操作により遊技媒体収納部の遊技媒体収納量を増やすことができる。
【００１５】
また、本発明は、遊技媒体溢れ防止部が、側壁の側方に向けて突出する把持部を板状部材に備えることを特徴とする。
【００１６】
この構成によれば、把持部を把持して遊技媒体溢れ防止部の板状部材を側壁の立設方向に沿って移動させることにより、遊技媒体溢れ防止部の引き上げ引き下げを容易に行うことができる。従って、遊技媒体収納部の遊技媒体の収納量を更に容易に変更することができる。
【００１７】
また、本発明は、遊技媒体溢れ防止部が、側壁の立設方向に沿って引き上げられた板状部材を側壁または遊技機本体に係止させて保持する保持手段を備えることを特徴とする。
【００１８】
この構成によれば、側壁の立設方向に沿って引き上げられた板状部材は、保持手段により側壁又は遊技機本体に係止され、遊技媒体溢れ防止部が所定の高さ位置に保持される。従って、側壁の立設方向に沿って引き上げられた板状部材が、遊技媒体収納部側に戻ってしまうことを防止できる。
【発明の効果】
【００１９】
このような本発明による遊技機によれば、上記のように、遊技媒体溢れ防止部を側壁の立設方向に沿って引き上げるという簡単な操作により、遊技媒体収納部のコインの収納量を増やして、遊技媒体収納部からコインが溢れて落下するのを防止できる。
【発明を実施するための最良の形態】
【００２０】
次に、本発明を実施するための最良の形態について説明する。
【００２１】
図１は本実施形態によるスロットマシン１の正面斜視図である。
【００２２】
スロットマシン１の前面パネル１ａの背後には３個のリール１１ａ，１１ｂ，１１ｃが回転自在に設けられている。各リール１１ａ〜１１ｃの外周面には複数種類の図柄が描かれており、表示窓１２ａ，１２ｂ，１２ｃを通してそれぞれ３個ずつ観察される。各リール帯に描かれた図柄は各リール１１ａ〜１１ｃの背後に設けられたバックランプの点灯により表示窓１２ａ〜１２ｃに照らし出される。各リール１１ａ〜１１ｃは、ステッピングモータの駆動で回転し、これによりリール帯に描かれた図柄が表示窓１２ａ〜１２ｃに変動表示される。表示窓１２ａ，１２ｂ，１２ｃには複数の入賞ライン１Ｌａ〜１Ｌｅが記されており、コイン投入口１９にコインが投入され、またはＢＥＴスイッチ１３ａ〜１３ｃが操作されると有効化される。
【００２３】
表示窓１２ａ〜１２ｃの下方左側にはコインのクレジット／払い出しを切り替えるクレジット／精算切換スイッチ（Ｃ／Ｐスイッチ）１４が設けられている。Ｃ／Ｐスイッチ１４の右方には表示窓１２ａ〜１２ｃでの変動表示を開始するスタートレバー１８が設けられており、さらに右方には表示窓１２ａ，１２ｂ，１２ｃでの変動表示を停止するストップボタン１５ａ，１５ｂ，１５ｃが設けられている。また、スロットマシン１の正面下部には腰部パネル１６が設けられており、その下方には、コイン払出口１７から払い出されるコインを側壁２１で囲まれた空間に収納する遊技媒体収納部を構成するコイントレイ２が設けられている。
【００２４】
コイントレイ２の底板は、スロットマシン１の機器本体の下端から前方に突き出て機器本体の幅方向に沿って延びる略矩形状をしている。側壁２１は、この底板の幅方向の両側縁部及び前縁部の三方から立ち上がって、コイン払出口１７があるスロットマシン１前面の前方の三方を囲んで、コインを収納する空間を形成している。この側壁２１には、遊技媒体溢れ防止部３が設けられている。
【００２５】
図２は、遊技媒体溢れ防止部３の構成の概略を示す正面図、図３は、遊技媒体溢れ防止部３の右端部の拡大斜視図である。これら各図において、図２（ａ）および図３（ａ）は遊技媒体溢れ防止部３が収納されている状態、図２（ｂ）および図３（ｂ）は遊技媒体溢れ防止部３が引き上げられた状態を示している。
【００２６】
図３（ａ）に示すように、コイントレイ２の側壁２１には、側壁２１の延設方向に沿ってスリット２２が延設されている。遊技媒体溢れ防止部３を構成する板状部材３１は、コイントレイ２の側壁２１の立設方向（上下方向）に移動自在に側壁２１に沿って並んで配されて、このスリット２２に収納されている。板状部材３１の上端縁は、図２（ｂ）に示すように、正面視において、コイントレイ２の幅方向の両端側から中央部にかけて下方に向けて落ち込んで、幅方向の中央部が円弧状を呈しており、幅方向の中央部の高さが他の部分よりも低く形成されている。
【００２７】
また、板状部材３１の幅方向の右端側には、平板状の把持部３２が突設されている。把持部３２は、板状部材３１の上端から側壁２１の側方に向けて外方へ突出しており、板状部材３１を引き上げ引き下げさせる際に把持される。また、把持部３２の下方側の板状部材３１には、図３（ｂ）に示すように係止部３３が形成されている。係止部３３は、板状部材３１の外周面の一部が長方形状に切られて、その下端部が外方に向けて突出する突出部を有している。この突出部は、可撓性を有しており、外力により板状部材３１の外周面と面一に撓むようになっている。係止部３３は、コイントレイ２の側壁２１のスリット２２から引き上げられた板状部材３１を側壁２１に保持する保持手段を構成している。
【００２８】
図４は、本実施形態のスロットマシン１における遊技処理動作を制御する制御部と、これに電気的に接続された周辺装置とを含む回路構成を示している。
【００２９】
制御部はマイクロコンピュータを主な構成要素とし、これに乱数サンプリングのための回路を加えて構成されている。マイコン７０は、予め設定されたプログラムに従って制御動作を行うＣＰＵ（中央演算処理装置）７１と、ＲＯＭ（読み出し専用メモリ）７２およびＲＡＭ（読み書き可能メモリ）７３を含んで構成されている。
【００３０】
ＣＰＵ７１には、基準クロックパルスを発生するクロックパルス発生回路７４および分周器７５と、一定範囲の乱数を発生させる乱数発生器７６および発生した乱数の中から任意の乱数を抽出する乱数サンプリング回路７７が接続されている。ＲＯＭ７２にはスロットマシン１で実行されるゲーム処理の手順がシーケンスプログラムとして記憶されている他、各種テーブルが格納されている。ＲＡＭ７３は、遊技動作を実行するときに一時的な記憶手段として用いられる。
【００３１】
マイコン７０からの制御信号により動作が制御される主要なアクチュエータとしては、リール１１ａ〜１１ｃを回転駆動するステッピングモータ８１ａ〜８１ｃ、コインを収納するホッパ８２ａ、スピーカ８３ａおよびバックランプ８４ａがある。これらはそれぞれモータ駆動回路８１、ホッパ駆動回路８２、スピーカ駆動回路８３、ランプ駆動回路８４によって駆動される。これら駆動回路８１〜８４は、マイコンのＩ／Ｏポートを介してＣＰＵ７１に接続されている。
【００３２】
マイコン７０が制御信号を生成するために必要な入力信号を発生する主な入力信号発生手段としては、コイン投入口１９から投入されたコインを検出する投入コインセンサ９１、リール１１ａ〜１１ｃの回転を検出するホトセンサ９２、スタートレバー１８の操作を検出するスタートスイッチ９６、および前述したＣ／Ｐスイッチ１４がある。
【００３３】
また、上記の入力信号発生手段として、リール位置検出回路９３、リール停止信号回路９４および払出完了信号回路９５がある。リール位置検出回路９３は、ホトセンサ９２からの出力パルス信号を受けて各リール１１ａ〜１１ｃの回転位置を検出する。また、リール停止信号回路９４は、ストップボタン１５ａ〜１５ｃが操作された時に対応するリール１１ａ〜１１ｃを停止させる信号を発生する。払出し完了信号回路９５は、コイン検出部９５ａで計数されたホッパ８２ａによるコインの払い出し枚数が所定の配当枚数データに達したときに、コイン払い出しの完了を知らせる信号をＣＰＵ７１へ出力する。
【００３４】
次に、このスロットマシン１での遊技動作について説明する。
【００３５】
遊技者により、まず、コイン投入口１９にコインが投入されるか、またはＢＥＴスイッチ１４が操作されることにより、スロットマシン遊技が開始する。引き続いて、スタートレバー１８が操作される。このスタートレバー１８の操作がスタートスイッチ９６で検出されると、ＣＰＵ７１の乱数抽選により内部当選役が決定され、内部当選役に応じた図柄の変動表示が各表示窓１２ａ〜１２ｃでなされる。その後、ストップボタン１５ａ〜１５ｃが操作されると、この操作がリール停止信号回路９４で検出され、ＣＰＵ７１によってリール１１ａ〜１１ｃの回転が停止される。これにより表示窓１２ａ〜１２ｃでの図柄の変動表示が停止し、停止した図柄の組合せによって定まる入賞内容に応じた枚数のコインがコイン払出口１７から払い出される。
【００３６】
払い出されたコインは、コイントレイ２に貯められる。遊技を進めていくうちに多くのコイン払い出しが行われて、コイントレイ２に貯められたコインの量がコイントレイ２の収納量の限界に近づいた場合には、コイントレイ２の側壁２１のスリット２２に収納されている遊技媒体溢れ防止部３の板状部材３１を、次のようにして引き上げることにより、コイントレイ２のコイン収納量を増やすことができる。
【００３７】
遊技媒体溢れ防止部３は、図２（ａ）に示すようにコイントレイ２の側壁２１のスリット２２から板状部材３１が引き上げられていない状態では、コイントレイ２の右端側の側壁２１のスリット２２から把持部３２が突出している。板状部材３１の外周面に設けられた係止部３３は、スリット２２の溝内に押し込まれている。遊技媒体溢れ防止部３は、把持部３２が把持されて所定の高さ位置まで上方に引き上げられると、図３（ｂ）に示すようにコイントレイ２の側壁２１のスリット２２から係止部３３の下端が外方に突出する。外方に突出した係止部３３の下端は、コイントレイ２の側壁２１の上端に係止する。これにより、板状部材３１のスリット２２内への落ち込みが防止される。
【００３８】
このように板状部材３１が引き出されることにより、図２（ｂ）に示すように、コイントレイ２の側壁２１の右端側及び左端側において、板状部材３１が引き出された高さだけ、コイントレイ２の側壁２１が高くなったのと同様になり、コイントレイ２のコイン収納量が増加する。
【００３９】
このように、本実施形態によるスロットマシン１によれば、コイントレイ２の側壁２１のスリット２２から板状部材３１を上方に引き出すという簡単な操作により、コイントレイ２のコインの収納量を増やして、コイントレイ２からコインが溢れて落下するのを防止できる。しかも、板状部材３１を側壁の立設方向に沿って引き上げるという簡単な操作によりコイントレイ２のコイン収納量を増やすため、例えば、コイントレイにドル箱を載置してコイン収納量を増やす従来のように、ドル箱を置き換えたり、ドル箱からコインを戻すような作業を必要としない。また、板状部材３１に把持部３２が設けられているため、把持部３２を把持して板状部材３１を移動させることにより、板状部材３１の移動を容易に行うことができる。従って、コイントレイ２のコインの収納量を更に容易に変更することができる。また、板状部材３１が、コイントレイ２の幅方向の中央部の高さが他の部分よりも低く形成されているため、高さが低く形成されたコイントレイ２の中央部からコイントレイ２内のコインを容易に取り出して、ドル箱への移し換え等を行うことができる。
【００４０】
なお、上記実施形態では、スリット２２から引き出された板状部材３１が、コイントレイ２の側壁２１の機器前面に対向する全部にわたってコイントレイ２の上方に突出する場合について説明した。しかし、コイントレイ２の幅方向の両端部のみで、コイントレイ２の上方に板状部材３１が別個独立に突出する構成としてもよい。この構成によれば、コイントレイ２の左右いずれか一方の側壁２１に設けられた板状部材３１のみを側壁２１の上方に突出させた場合と、両方の板状部材３１を側壁２１の上方に突出させた場合とで、コイントレイ２のコインの収納量が異なる。このため、コイントレイ２の一方の側壁２１に設けられた板状部材３１のみを突出させるか、または、両方の板状部材３１を突出させるか選択するという簡単な操作により、コイントレイ２のコインの収納量を調整して、コイントレイ２からコインが溢れて落下するのを防止できる。また、コイントレイ２の幅方向の右端側または左端側のいずれか一方のみから板状部材３１が突出する構成としてもよい。また、遊技媒体溢れ防止部３を構成する板状部材３１は、必ずしもコイントレイ２の側壁２１のスリット２２内に設ける必要はなく、例えば、コイントレイ２の側壁２１の内側に設けても、また、側壁２１の外側に設けてもよい。
【００４１】
また、上記実施形態では、板状部材３１の外周面に形成された係止部３３で、コイントレイ２のスリット２２から引き出された板状部材３１を保持する保持手段を構成した場合について説明した。しかし、例えば、図５に示すように、腰部パネル１６の下面に形成された掛止穴６と板状部材３１の上端面に突設された掛止片５とで保持手段を構成し、掛止穴６に掛止片５を押し込んで機器本体に掛止させることにより、側壁２１から引き上げられた板状部材３１を保持してもよい。
【００４２】
この場合、掛止穴６と掛止片５との掛止は、板状部材３１をコイントレイ２側に引き下げることにより解いてもよいし、また、腰部パネル１６の側面に設けたボタンの操作で、掛止穴６から掛止片５を押し出すことによって解除してもよい。この構成によっても、コイントレイ２のコインの収納量を簡単な操作で変更できる。また、逆に、腰部パネル１６の下面に掛止片５を設け、板状部材３１の上端面に掛止穴６を設けてもよい。また、腰部パネル１６の側面に掛止穴６を設け、板状部材３１の上端部の内周面に掛止片５を設けてもよい。また、掛止片５及び掛止穴６の形状は、遊技媒体溢れ防止部３のスリット２２への落ち込みを防止できるのであれば任意である。また、腰部パネル１６の下面と板状部材３１の上端部とに取り付けられた磁石で保持手段を構成してもよい。また、板状部材３１がスリット２２の両内壁で外側及び内側から挟み込まれた状態でスリット２２内に収納され、スリット２２の両内壁から加えられる挟持力により、側壁２１の立設方向の任意の位置に板状部材３１を保持できるように構成してもよい。
【００４３】
また、上記実施形態では、遊技媒体溢れ防止部３の右端側に把持部３２が設けられている場合について説明した。しかし、遊技媒体溢れ防止部３の左端側に把持部３２が設けられている構成としても、また、両端部に設けられている構成としてもよい。また、上記実施形態では、コイントレイ２が、底板の左右の縁部及び前縁部の三方から側壁２１が立ち上がって、コインを収納する空間を形成している場合について説明した。しかし、図６に示すように、コイントレイ２の底板におけるスロットマシン１の前方の外縁部が、円弧状を呈しており、円弧状の外縁部から側壁２１が立ち上がってコインを収納する空間を形成するようにしてもよい。また、底板の全周縁部から側壁２１が立ち上がってコインを収納する空間を形成するように、コイントレイ２を構成してもよい。また、上記実施形態では、コイン払出口１７がコイントレイ２の幅方向中央部に設けられていたため、コイントレイ２の幅方向の中央部における板状部材３１の上端縁の高さが他の部分よりも低く形成されている場合について説明した。しかし、板状部材３１の上端縁の高さが他の部分よりも低く形成されている部分の位置は、コイントレイの幅方向の中央部に限らず、コイン払出口１７の配置位置等に応じて適宜変更して差し支えない。
【産業上の利用可能性】
【００４４】
上記実施形態においては、本発明による遊技機をスロットマシンに適用した場合について説明したが、遊技媒体であるコインや球を収納する遊技媒体収納部を備える他の遊技機に本発明を適用することも可能である。このような遊技機に本発明を適用した場合においても上記実施形態と同様な作用効果が奏される。
【図面の簡単な説明】
【００４５】
【図１】本発明の一実施形態によるスロットマシンの外観構造を示す斜視図である。
【図２】本発明の一実施形態によるスロットマシンを構成する遊技媒体溢れ防止部の構成の概略を示す正面図であり、（ａ）は収納された状態、（ｂ）は引き出された状態である。
【図３】図２に示す遊技媒体溢れ防止部の斜視図であり、（ａ）は収納された状態、（ｂ）は引き出された状態である。
【図４】本発明の一実施形態によるスロットマシンの主要な制御回路構成を示すブロック図である。
【図５】本発明による遊技媒体溢れ防止部を構成する保持手段の構成の他の例を示す図である。
【図６】本発明による遊技媒体溢れ防止部の構成の他の例を示す図である。
【符号の説明】
【００４６】
１…スロットマシン
１ａ…前面パネル
１１ａ〜１１ｃ…リール
１２ａ〜１２ｃ…表示窓
１３ａ〜１３ｃ…ＢＥＴスイッチ
１５ａ〜１５ｃ…ストップボタン
１６…腰部パネル
１７…コイン払出口
１９…コイン投入口
２…コイントレイ
２１…側壁
２２…スリット
３…遊技媒体溢れ防止部
３１…板状部材
３２…把持部
３３…係止部
５…掛止片
６…掛止穴
【図１】
2005204956.tif 000003
【図２】
2005204956.tif 000004
【図３】
2005204956.tif 000005
【図４】
2005204956.tif 000006
【図５】
2005204956.tif 000007
【図６】
2005204956.tif 000008